(57)【要約】【課題】写真に付帯される情報の画像として、手書きの画像またはデータによる画像のいずれを付帯させるかを使い分ける画像処理装置を提供すること。【解決手段】撮影物に関し予め記憶された情報に基づく第１の情報を撮影画像に合成する第１文字記入体画像合成部２３２と、撮影物に関し実際に記載された第２の情報が前記撮影物と共に画面内に存在するかを判定する第２文字記入体判定部２３４と、前記第２の情報が画面内には存在しないと判定された場合に、前記第１文字記入体画像合成部により前記第１の情報を撮影画像に合成させる工事撮影制御部２３０と、を備える。【選択図】図１
2017158145.tif 000002
【特許請求の範囲】
【請求項１】
撮影物に関し予め記憶された情報に基づく第１の情報を撮影画像に合成する画像合成部と、
撮影物に関し実際に記載された第２の情報が前記撮影物と共に画面内に存在するかを判定する判定部と、
前記第２の情報が画面内には存在しないと判定された場合に、前記画像合成部により前記第１の情報を撮影画像に合成させる制御部と、を備える
ことを特徴とする画像処理装置。
【請求項２】
前記判定部は、前記第２の情報が記載される第２文字記入体が前記撮影物と共に画面内に存在するかを判定し、
前記画像生成部は、前記第１の情報画像として第１の情報が示される第１文字記入体を撮影画像に合成する
ことを特徴とする請求項１に記載の画像処理装置。
【請求項３】
前記第２文字記入体は、単一色である
ことを特徴とする請求項１に記載の画像処理装置。
【請求項４】
前記第１文字記入体又は前記第２文字記入体の画面内での位置を、指示に応じて移動させる調整処理部を備える
ことを特徴とする請求項２に記載の画像処理装置。
【請求項５】
前記第１文字記入体又は前記第２文字記入体の画面内での位置を、画面の隅から所定距離以上離れるよう移動させる調整処理部を備える
ことを特徴とする請求項２に記載の画像処理装置。
【請求項６】
前記第１文字記入体又は第２文字記入体の文字記入体のサイズを変更することなく、情報文字記入体に表示される文字情報を拡大または縮小する調整処理部を備える
ことを特徴とする請求項２に記載の画像処理装置。
【請求項７】
前記制御部は、前記第２文字記入体が画面内に存在すると判断された場合には、前記第１文字記入体に関する情報を前記撮影画像と関連して記録する
ことを特徴とする請求項２に記載の画像処理装置。
【請求項８】
前記画像合成部は、前記第２文字記入体が画面内に存在すると判定される場合に、指示に応じて、前記第２文字記入体に代えて前記第１文字記入体を撮影画像に合成する
ことを特徴とする請求項２に記載の画像処理装置。
【請求項９】
前記第１の情報は工事内容に関するデータであって、前記第２の情報は工事内容における特記事項である
ことを特徴とする請求項１に記載の画像処理装置。
【請求項１０】
撮影物に関し予め記憶された情報に基づく第１の情報を撮影画像に合成する合成ステップと、
撮影物に関し実際に記載された第２の情報が前記撮影物と共に画面内に存在するかを判定する判定ステップとを有し、
前記合成ステップは、前記第２の情報が画面内には存在しないと判定された場合に、前記合成ステップにより前記第１の情報を撮影画像に合成する
ことを特徴とする画像処理方法。
【請求項１１】
端末装置のコンピュータに画像処理方法を実行させるプログラムにおいて、
撮影物に関し予め記憶された情報に基づく第１の情報を撮影画像に合成する合成ステップと、
撮影物に関し実際に記載された第２の情報が前記撮影物と共に画面内に存在するかを判定する判定ステップとを有し、
前記合成ステップは、前記第２の情報が画面内には存在しないと判定された場合に、前記合成ステップにより前記第１の情報を撮影画像に合成する
ことを特徴とするプログラム。
【発明の詳細な説明】
【技術分野】
【０００１】
本発明は、写真に付帯される情報を示す画像データについて画像処理を行う画像処理装置に関する。
【背景技術】
【０００２】
例えば、建築や土木現場では、工事の状況が細かく撮影され、撮影画像は所定のルールで管理される。工事現場の画像は編集して提出することも必要になる。工事現場の画像には、直接の画像だけでなく、照合するための工事日や工事内容等の情報を含める必要がある。従来は、小型の黒板に工事日、工事内容等を書き込んだものを工事現場に立てかけて、これを工事状況とともにカメラで撮影するという方法が取られていた。しかし、現場によっては、小型の黒板が配置できない場面もあるので、入力した文字が表示されるサブ画像を工事現場の実際の画像に合成するカメラが提案されている（特許文献１）。
【先行技術文献】
【特許文献】
【０００３】
【特許文献１】特開２０００−２１７０３４号公報
【発明の概要】
【発明が解決しようとする課題】
【０００４】
撮影画像に手書き文字が写されているのに比べて、内容がデータ化されて添付されていれば、ドキュメント作成等の後処理が容易になる。一方、データ入力は、小型の黒板に手書きするのに比べて時間がかかることも多い。また、現場の作業者にとっては、手書きの方に慣れているという現実もある。また、予めデータ入力を行っていても不測の事態等で、現場で用意した小型の黒板の情報を使いたい場合がある。このため工事等の写真において、手書きの情報とデジタルの情報を状況に応じて使い分けできることが望まれる。
【０００５】
本願発明は、上記課題に鑑み、写真に付帯される情報の画像として、手書きの画像またはデータによる画像のいずれを付帯させるかを使い分ける画像処理装置を提供することを目的とする。
【課題を解決するための手段】
【０００６】
上記目的を達成するために、本発明に係る画像処理装置は、撮影物に関し予め記憶された情報に基づく第１の情報を撮影画像に合成する画像合成部と、撮影物に関し実際に記載された第２の情報が前記撮影物と共に画面内に存在するかを判定する判定部と、前記第２の情報が画面内には存在しないと判定された場合に、前記画像合成部により前記第１の情報を撮影画像に合成させる制御部と、を備える。
【発明の効果】
【０００７】
本発明によれば、写真に付帯される情報の画像として、手書きの画像またはデータによる画像のいずれを付帯させるかを使い分ける画像処理装置を提供することができる。
【図面の簡単な説明】
【０００８】
【図１】第１実施形態に係る証拠画像撮影業務の全体構成を示す図である。
【図２Ａ】第１文字記入体の具体例を示す図である。
【図２Ｂ】第２文字記入体の具体例を示す図である。
【図３】工事ドキュメントを管理するシステムを説明する図である。
【図４】カメラ装置による撮影処理の手順を説明するためのフローチャートである。
【図５Ａ】端末装置による画像処理の手順を説明するためのフローチャート１である。
【図５Ｂ】端末装置による画像処理の手順を説明するためのフローチャート２である。
【図６】前後処理の手順を説明するためのサブルーチンである。
【図７Ａ】調整処理部による文字記入体の移動や調整例についてを説明する図である。
【図７Ｂ】調整処理部による文字記入体の移動や調整例についてを説明する図である。
【図８】第２実施形態における端末装置を含む音声記録システムの構成図である。
【図９】第２実施形態における音声付きドキュメントの例である。
【図１０】第２実施形態における不明瞭な音声をガイド音声に置き換えた例を音声カーブで説明する図である。
【図１１Ａ】第２実施形態における音声処理の手順を説明するためのフローチャート１である。
【図１１Ｂ】第２実施形態における音声処理の手順を説明するためのフローチャート２である。
【発明を実施するための形態】
【０００９】
以下、図面に従って本発明の第１実施形態を説明する。図１は、本発明の画像処理装置が搭載された撮像システム１とサーバ３００から構成される証拠画像（写真）撮影業務の全体構成を示す図である。
【００１０】
第１実施形態の撮像システム１は、証拠画像（写真）の撮影業務に用いられる。証拠画像（写真）の撮影とは、例えば、建設工事、土木工事あるいはレールの保守工事で、工事の証拠として、工事内容を撮影することである。撮像システム１によって工事内容が撮影された画像を、工事画像あるいは工事写真とも呼ぶ。工事写真には、工事内容を撮影した画像に、工事の情報（工事日時、場所、仕様、担当者等々）が付帯される。
【００１１】
撮像システム１は、カメラ装置１００と、カメラ装置１００で撮影された画像データを処理する端末装置２００から構成される。カメラ装置１００は、操作部や表示部を外して、主にカメラ部機能のみを搭載した装置である。端末装置２００は、カメラ装置１００と接続され、カメラ装置１００から画像データを入力して、後述する工事写真に関する画像処理を行う情報処理端末である。端末装置２００は、モバイルＰＣ（Personal computer）、タブレットあるいはスマートフォン等々である。
【００１２】
端末装置２００は、ネットワーク４００を介してサーバ３００に接続される。なお、本実施形態では、撮像システム１をカメラ装置１００と端末装置２００の組み合わせとして説明するが、撮像システム１は、単一のデジタルカメラの形態でももちろんかまわない。
【００１３】
カメラ装置１００は、カメラ制御部１１０、カメラ記憶部１１２、レンズ部１２０及び撮像部１３０を有する。
【００１４】
カメラ制御部１１０は、カメラ装置１００全体を統括的に制御する制御部である。カメラ記憶部１１２は、制御プログラムや各種データやテーブルを格納する。カメラ制御部１１０は、カメラ記憶部１１２に格納された制御プログラム（不図示）を読込んだＣＰＵ（不図示）によるソフトウェア処理により実現される。
【００１５】
レンズ部１２０は、光学部１２２、ピント調整部１２４、画角調整部１２６及びL通信部１２８を有する。光学部１２２は、複数のレンズを有し、被写体像を結像させるものである。ピント調整部１２４は、アクチュエータを備え、光学部１２２の一部のレンズを移動させてピントを調整する。画角調整部１２６は、アクチュエータを備え、光学部１２２の一部のレンズを移動させて画角（ズーム）を調整する。Ｌ通信部１２８は、レンズ部１２０と撮像部１３０間のデータの送受信を行うためのレンズ部１２０側の通信ＩＦ（Interface）である。
【００１６】
撮像部１３０は、撮像処理部１３２、レンズ制御部１３４、各種センサ部１３６、画像処理部１３８、サムネイル作成部１４０及びＬ通信部１４２を有する。撮像処理部１３２は、光学部１２２により結像された被写体像を光電変換する撮像素子（不図示）と、撮像素子から出力された画像信号にＡＧＣ（Automatic Gain Controller）等の処理を施し、画像データに変換する前処理部（不図示）を有する。
【００１７】
レンズ制御部１３４は、画像のコントラスト検出によりピント調整部１２４を制御し、また端末装置２００からの指示に基づき画角調整部１２６を制御する。各種センサ部１３６は、光学部１２２に設けられたレンズの位置を検出するポジションセンサや、カメラ装置１００の手振れを検出する加速度センサである。
【００１８】
画像処理部１３８は、撮像処理部１３２で変換された画像データに、ホワイトバランス処理やγ処理を行う。サムネイル作成部１４０は、画像データを所定のサムネイル画像に変換する。Ｌ通信部１４２は、レンズ部１２０と撮像部１３０間のデータの送受信を行うための撮像部１３０側の通信ＩＦである。
【００１９】
また、カメラ装置１００は、Ｄ通信部１４４を有する。Ｄ通信部１４４は、カメラ装置１００と端末装置２００間のデータの送受信を行うためのカメラ装置１００側の通信ＩＦである。Ｄ通信部１４４は、例えば無線ＬＡＮである。
【００２０】
端末装置２００は、端末制御部２１０、位置／時計情報部２１２、計測部２１４、表示部２１６、操作部２１８、Ｄ通信部２２０及び通信部２２２を有する。端末制御部２１０は、端末装置２００全体を統括的に制御する制御部である。端末制御部２１０は、端末記憶部２４０に格納された制御プログラムを読込んだ不図示のＣＰＵによるソフトウェア処理により実現される。
【００２１】
位置／時計情報部２１２は、端末装置２００の位置情報や時間情報を出力する。位置情報はＧＰＳ情報から求められる。計測部２１４は、撮影画像に基づき撮影物の形状（長さ、直径等）を測定する。
【００２２】
表示部２１６は、撮影画像や各種処理メニューを表示する。操作部２１８は、操作者が指示を入力する手段である。表示部２１６と操作部２１８は、タッチパネルとして一体的に構成されてもよい。
【００２３】
Ｄ通信部２２０は、カメラ装置１００と端末装置２００間のデータの送受信を行うための端末装置２００側の通信ＩＦである。通信部２２２は、ネットワーク４００を介して端末装置２００と外部の種々のサーバとデータの送受信、あるいはインターネット通信を行うための通信ＩＦである。
【００２４】
さらに、端末装置２００は、工事撮影制御部２３０、端末記憶部２４０及びファイル作成部２５０を有する。工事撮影制御部２３０は、工事写真の画像データを処理する画像処理装置である。工事撮影制御部２３０は、以下で詳述する工事撮影を制御し、カメラ装置１００で撮影された工事写真に、撮影物に関する情報を付帯して記録する。
【００２５】
撮影物とは、対象が土木工事や建築工事の場合には、柱、壁、土台、コンクリートブロックあるいは穴等々である。また、対象が鉄道の保線工事の場合には、撮影物はレールや枕木である。撮影物に関する情報とは、工事名、撮影日時、サイズ情報、位置情報、管理番号、作業者名あるいは、現場で気づいた特記事項である。サイズ情報は、設計情報だけでなく、実測情報であってもよい。
【００２６】
工事撮影制御部２３０は、第１文字記入体画像合成部２３２、第２文字記入体判定部２３４及び調整処理部２３６を有する。第１文字記入体とは、撮影物に関する情報であって、データとして記憶された文字情報（第１の情報とも呼ぶ）が表された仮想の部材である。第２文字記入体とは、撮影物に関し実際の文字情報（第２の情報とも呼ぶ）が記載された部材である。第２文字記入体は、例えば小黒板である。
【００２７】
なお、工事撮影制御部２３０は、端末記憶部２４０に格納された制御プログラムを読込んだ不図示のＣＰＵによるソフトウェア処理により実現される。
【００２８】
図２Ａに第１文字記入体の具体例を、図２Ｂに第２文字記入体（小黒板）の具体例をそれぞれ示す。
撮像システム１により、撮影物として、工事途中の柱ａ１が撮影される。図２Ａでは、端末装置２００の表示部２１６には、柱ａ１とともに、第１文字記入体ｍが表示される。
【００２９】
第１文字記入体画像合成部２３２は、端末記憶部２４０に記憶された第１文字記入体画像データ２４８から、柱ａ１に対応する第１文字記入体ｍの画像データを読出し、読み出した第１文字記入体ｍを撮影物の右下に合成する。第１文字記入体ｍには、柱ａ１に関するデータとして記憶された第１の情報ｍ１が表示される。第１の情報ｍ１は、柱ａ１の番号（＃３）と、直径（１０ｃｍ）に関する情報である。
【００３０】
図２Ｂは、図２Ａと同様に、工事途中の柱ａ１が撮影された画像であるが、台座に汚れａ２が見つかったため、その旨が実際に記載された小黒板（第２文字記入体ｎ）が、台座の前に配置された場合である。端末装置２００の表示部２１６には、柱ａ１とともに、小黒板（第２文字記入体ｎ）が表示される。第２文字記入体ｎには、現場の作業者あるいは撮影者によって実際に記載された第２の情報ｎ１（汚れ、作業ミス）が、特記事項として記録される。
【００３１】
第２文字記入体判定部２３４は、第２文字記入体ｎが前記撮影物と共に画面内に存在するかを判断する。第２文字記入体判定部２３４は、画像処理によってサイズ、形状（四角）、色（単一色）等を検出して、小黒板の存在を判定する。なお、小黒板は単一色であればよく、色は黒には限られず、白や緑であってもよい。また、無線通信可能な専用の小黒板を利用して、第２文字記入体判定部２３４は、画像処理によらずに、通信によって第２文字記入体ｎの判定をしてもよい。
【００３２】
調整処理部２３６は、第１文字記入体ｍ及び第２文字記入体ｎについて、撮影画像への合成処理や画面内での移動処理を行う。調整処理部２３６は、第１文字記入体ｍ及び第２文字記入体ｎの画面内での位置を、指示に応じて移動させる。
【００３３】
また、調整処理部２３６は、第１文字記入体ｍ及び第２文字記入体ｎの画面内での位置を、画面の隅から所定距離以上離れるよう移動させる。また、調整処理部２３６は、指示に応じて、第１文字記入体ｍ及び第２文字記入体ｎの文字記入体のサイズを変更することなく、それぞれ文字記入体に表示される文字情報を拡大または縮小する。調整処理部２３６は、第１文字記入体ｍ及び第２文字記入体ｎの移動等の処理を画像処理によって行うので、記録前のライブビュー画像上で行うこともできるし、撮影した後の撮影データについて行うこともできる。第１文字記入体ｍ及び第２文字記入体ｎが移動された撮影データは、上書きされる。
【００３４】
端末記憶部２４０は、端末装置２００のＣＰＵ（不図示）にソフトウェア処理を実行させるためのプログラムや各種アプリケーションを格納する。また、端末記憶部２４０は、撮影データ２４２、レイアウトデータ２４４、工事設計画像データ２４６及び第１文字記入体画像データ２４８を格納する。
【００３５】
撮影データ２４２は、カメラ装置１００により撮影されファイル化された画像である。レイアウトデータ２４４は、第１文字記入体ｍの端部あるいは第２文字記入体ｎの端部が、画面の端部で切れてしまわないように、第１文字記入体ｍあるいは第２文字記入体ｎの端部が、画面の端部からで所定距離離間するよう設定されるデータである。第１文字記入体画像データ２４８は、各撮影単位で予め設定された第１文字記入体ｍの画像データである。
【００３６】
また、第１実施形態においては、工事撮影制御部２３０は、予め工事現場での撮影順番を設定した工事撮影プログラムに従って、画面で撮影順番を操作者に指示してもよい。この場合には、操作者は、表示部２１６に表示された撮影順番に従って、撮影を行っていく。そして、第１文字記入体画像合成部２３２は、工事撮影プログラムの順番に従って、第２文字記入体の存在が判定されない限り、第１文字記入体画像データ２４８から対応する第１文字記入体ｍのデータを読出し、撮影画像に合成する。なお、第１文字記入体画像データ２４８は、サーバ３００から提供される。
【００３７】
また、工事撮影制御部２３０は、工事内容が記載された設計図面である工事設計画像データ２４６による工事設計画像を表示部２１６に表示してもよい。そして、工事設計画像データ２４６に撮影順番が記載されている場合には、操作者は、その順番に従って撮影物を撮影するようにしてもよい。
【００３８】
サーバ３００は、設計図データ２４６ａ及び第１文字記入体画像データ２４８ａを格納し、端末装置２００にデータを提供する。設計図データ２４６ａは、工事の設計全体に関するデータである。工事設計画像データ２４６は、設計図データ２４６ａの一部である。第１文字記入体画像データ２４８ａは、工事の設計全体の撮影物に関する情報である。第１文字記入体画像データ２４８は、第１文字記入体画像データ２４８ａの一部である。
【００３９】
図３は、工事写真を添付して作成されたドキュメントを管理するシステムを説明する図である。工事内容が記載された文書に、撮像システム１で撮影された工事写真が添付されて、工事ドキュメントが作成される。工事ドキュメントは、端末装置２００で作成されてもよいし、端末装置２００から工事写真が転送されたＰＣ装置５００で作成されてもよい。
【００４０】
工事ドキュメントに添付される工事写真には、第１文字記入体ｍあるいは第２文字記入体ｎが組み込まれる。図３に示す工事ドキュメントの画像は、第２文字記入体ｎが合成された画像である。
【００４１】
端末装置２００またはＰＣ装置５００から、作成された工事ドキュメントがネットワーク４００を経由して、サーバ３００ｂに送信される。送信された工事ドキュメントは、サーバ３００ｂで保管される。サーバ３００ｂは、図１で説明したサーバ３００と同じサーバでもよいし、別なサーバであってもよい。
【００４２】
図４は、カメラ装置１００による撮影処理の手順を説明するためのフローチャートである。図４のフローチャートは、主にカメラ制御部１１０により実行される。
【００４３】
カメラ制御部１１０は、外部装置からの通信待ちをする（ステップＳ１０）。カメラ制御部１１０は、外部装置から電源オフ指示の有無を判断する（ステップＳ１２）。外部装置は、例えば、端末装置２００である。カメラ制御部１１０は、電源オフ指示があったと判断すると（ステップＳ１２のＹＥＳ）、電源のオフ処理を行い（ステップＳ１４）、ステップＳ１０に戻る。
【００４４】
カメラ制御部１１０は、電源オフ指示がないと判断すると（ステップＳ１２のＮＯ）、通信相手設定済であるかを判断する（ステップＳ１６）。カメラ制御部１１０は、通信相手設定済でないと判断すると（ステップＳ１６のＮＯ）、通信相手の設定が可能か判断する（ステップＳ１８）。カメラ制御部１１０は、通信相手の設定ができないと判断すると（ステップＳ１８のＮＯ）、ステップＳ１０に戻る。カメラ制御部１１０は、通信相手の設定ができると判断すると（ステップＳ１８のＹＥＳ）、設定手続きを行い（ステップＳ２０）、設定結果を記憶し（ステップＳ２２）、ステップＳ１０に戻る。
【００４５】
カメラ制御部１１０は、通信相手設定済であると判断すると（ステップＳ１６のＹＥＳ）、通信相手へのライブビュー画像の送信を行う（ステップＳ３０）。以下では通信相手を端末装置２００とする。
【００４６】
カメラ制御部１１０は、端末装置２００から撮影制御用の通信が受けたかを判断する（ステップＳ３２）。撮影制御用の通信とは、ズーム位置の変更や絞り・シャッター値の変更を指示する通信である。カメラ制御部１１０は、撮影制御用の通信を受けたと判断すると（ステップＳ３２のＹＥＳ）、指示に従い撮影条件を変更する（ステップＳ３４）。カメラ制御部１１０は、撮影制御用の通信を受けていないと判断すると（ステップＳ３２のＮＯ）、ステップＳ３６に進む。
【００４７】
カメラ制御部１１０は、端末装置２００から撮影開始の通信を受けたかを判断する（ステップＳ３６）。カメラ制御部１１０は、撮影開始の通信を受けていないと判断すると（ステップＳ３６のＮＯ）、ステップＳ３０に戻る。カメラ制御部１１０は、撮影開始の通信を受けたと判断すると（ステップＳ３６のＹＥＳ）、撮影を実行し（ステップＳ３８）、撮影した画像データ（工事写真のデータ）を通信相手（端末装置２００）に送信し（ステップＳ４０）、ステップＳ１０に戻る。
【００４８】
なお、カメラ制御部１１０は、撮影した画像データを撮影の都度、端末装置２００に送信するのではなく、一旦記憶部１１２に保存しておいて、画像データをまとめて端末装置２００に送信するようにしてもよい。
【００４９】
図５Ａ及び図５Ｂは、端末装置２００による画像処理の手順を説明するためのフローチャートである。図５Ａ及び図５Ｂのフローチャートは、主に端末制御部２１０により実行される。
【００５０】
端末制御部２１０は、初期画面として、表示部２１６にモード表示を行う（ステップＳ１００）。操作者に処理モードを選択させるためである。端末装置２００の処理モードとしては、カメラモード以外に、工事写真準備モードやドキュメント作成モードがある。モードではなく、各アプリケーションを表示して、選択させてもよい。
【００５１】
端末制御部２１０は、カメラモードが選択されたかを判断する（ステップＳ１０２）。端末制御部２１０は、カメラモードが選択されたと判断すると（ステップＳ１０２のＹＥＳ）、カメラ指定済みであるかを判断する（ステップＳ１０６）。特定のカメラ装置１００との接続が確立されているかを判断する。端末制御部２１０は、カメラ指定済みでないと判断すると（ステップＳ１０６のＮＯ）、カメラ装置１００を指定する操作を行い、カメラ装置１００のＩＰアドレス等を記録し（ステップＳ１０８）、ステップＳ１０６に戻る。
【００５２】
端末制御部２１０は、カメラ指定済みであると判断すると（ステップＳ１０６のＹＥＳ）、指定のカメラ装置１００にアクセスする（ステップＳ１１０）。端末制御部２１０は、カメラ装置１００との通信がＯＫであるかを判断する（ステップＳ１１２）。端末制御部２１０は、カメラ装置１００との通信がＯＫでないと判断すると（ステップＳ１１２のＮＯ）、所定時間おきに表示や音声を出力して警告する（ステップＳ１１４）。
【００５３】
端末制御部２１０は、カメラ装置１００との通信がＯＫであると判断すると（ステップＳ１１２のＹＥＳ）、操作者により撮影モードが設定されたかを判断する（ステップＳ１１６）。端末制御部２１０は、撮影モードが設定されていないと判断すると（ステップＳ１１６のＮＯ）、再生・通信モードが設定されているかを判断する（ステップＳ１３０）。再生モードとは、端末記憶部２４０に保存された撮影データ２４２を表示部２１６で再生するモードである。通信モードとは、端末記憶部２４０の撮影データ２４２をサーバ３００やサーバ３００ｂに送信するモードである。
【００５４】
端末制御部２１０は、動作モードが再生・通信モードに設定されていないと判断すると（ステップＳ１３０のＮＯ）、ステップＳ１００に戻る。端末制御部２１０は、動作モードが再生・通信モードに設定されていると判断すると（ステップＳ１３０のＹＥＳ）、端末記憶部２４０の撮影データ２４２のサムネイル画像を表示部２１６に一覧表示する（ステップＳ１３２）。
【００５５】
端末制御部２１０は、表示部２１６に一覧表示された画像でいずれの画像が、撮影者により選択されたかを判断する（ステップＳ１３４）。端末制御部２１０は、一覧表示で画像が選択されたと判断すると（ステップＳ１３４のＹＥＳ）、選択された画像を拡大して再生する（ステップＳ１３６）。
【００５６】
端末制御部２１０は、一覧表示で画像が選択されていないと判断すると（ステップＳ１３４のＮＯ）、選択送信が指示されたかを判断する（ステップＳ１３８）。端末制御部２１０は、選択送信が指示されたと判断すると（ステップＳ１３８のＹＥＳ）、送信するよう選択された画像を指定されたサーバ等に送信する。
【００５７】
端末制御部２１０は、ステップＳ１３６の後、選択送信が指示されていないと判断する場合（ステップＳ１３８のＮＯ）、あるいはステップＳ１４０の後、操作者により終了操作がされたかを判断する（ステップＳ１４２）。端末制御部２１０は、再生・通信モードの終了操作がされていないと判断すると（ステップＳ１４２のＮＯ）、ステップＳ１３４に進む。端末制御部２１０は、再生・通信モードの終了操作がされたと判断すると（ステップＳ１４２のＹＥＳ）、ステップＳ１００に戻る。
【００５８】
ステップＳ１１６に戻る。端末制御部２１０は、撮影モードが設定されたと判断すると（ステップＳ１１６のＹＥＳ）、カメラ装置１００から送信されるライブビュー画像（図４のステップＳ３０）を受信して表示部２１６に表示する（ステップＳ１１８）。
【００５９】
端末制御部２１０は、工事写真モードが設定されたかを判断する（ステップＳ１５０）。工事写真モードは、撮影モードの中の１つで、工事現場等で工事の様子を撮影するモードである。工事写真モードは、操作者によりメニュー画面で選択される。工事写真モードを設定することにより、第２文字記入体ｎが画面に存在する場合には第２文字記入体ｎを優先し、第２文字記入体ｎが画面に存在しない場合には第１文字記入体ｍが合成された撮影データを取得することができ、撮影物（工事対象）の情報を適切に工事画面に添付することができる。
【００６０】
端末制御部２１０は、工事写真モードが設定されたと判断すると（ステップＳ１５０のＹＥＳ）、工事撮影制御部２３０は、撮影位置、順番などで候補があるかを判断する（ステップＳ１５２）。工事撮影制御部２３０は、設計図データ２４６ａに基づきサーバ３００から送信された工事設計画像データ２４６に基づき、今回の工事撮影について、その撮影位置、順番などで候補があるかを判断する。
【００６１】
工事撮影制御部２３０は、撮影位置、順番などで候補がないと判断すると（ステップＳ１５２のＮＯ）、ステップＳ１７０に進む。工事設計画像データ２４６がないと、撮影物に応じた第１文字記入体ｍを読み出すことができず、第１文字記入体ｍを撮影画像に合成することができないからである。
【００６２】
工事撮影制御部２３０は、撮影位置、順番などで候補があると判断すると（ステップＳ１５２のＹＥＳ）、第２文字記入体判定部２３４は、ライブビュー画像の画面内に第２文字記入体ｎが存在するかを判定する（ステップＳ１５４）。前述のように、第２文字記入体判定部２３４は、サイズ・形状・色等により、文字記入体の存在を判定する。
【００６３】
第２文字記入体判定部２３４は、画面内に第２文字記入体ｎが存在しないと判定すると（ステップＳ１５４のＮＯ）、第１文字記入体画像合成部２３２は、第１文字記入体画像データ２４８から所定の第１文字記入体ｍを読出し、カメラ装置１００から送信されたライブビューの画像データに合成する（ステップＳ１５６）。工事撮影制御部２３０は、第１文字記入体ｍが合成された画像を表示する（ステップＳ１５８）。図２Ａの例である。
【００６４】
一方、第２文字記入体判定部２３４は、ライブビュー画像の画面内に第２文字記入体ｎが存在すると判定すると（ステップＳ１５４のＹＥＳ）、ステップＳ１６０に進む。図２Ｂの例である。
【００６５】
工事撮影制御部２３０は、第１文字記入体ｍまたは第２文字記入体ｎのいずれかに、タッチ操作がされたかを判断する（ステップＳ１６０）。工事撮影制御部２３０が、タッチ操作がされたと判断すると（ステップＳ１６０のＹＥＳ）、調整処理部２３６は、表示されている第１文字記入体ｍまたは第２文字記入体ｎのいずれかに示された文字を、タッチ操作の態様に応じて、拡大または縮小処理を行う（ステップＳ１６２）。
【００６６】
工事撮影制御部２３０は、表示されている第１文字記入体ｍまたは第２文字記入体ｎにタッチ操作がされていないと判断すると（ステップＳ１６０のＮＯ）、ステップＳ１７０に進む。
【００６７】
また、調整処理部２３６は、ステップＳ１６２での処理以外に、文字記入体の移動や調整を行うことができる。ここで、図７Ａ及び図７Ｂを用いて、調整処理部２３６による文字記入体の移動や調整例についてを簡単に説明する。
【００６８】
前述したように、調整処理部２３６により、第１文字記入体ｍまたは第２文字記入体ｎは、文字記入体内での移動や文字サイズ変更等が可能である。以下では、第２文字記入体ｎを例にするが、第１文字記入体ｍでも同様である。なお、調整処理部２３６は、第１文字記入体ｍを移動等させる場合には、画面への合成位置を変更する。また。調整処理部２３６は、第２文字記入体ｎを移動等させる場合には、画面から第２文字記入体ｎを一旦切出してから、所定の位置に貼りつける処理を行う。
【００６９】
図７ＡのＤ１、Ｄ２は、第２文字記入体ｎの移動を説明する画面である。Ｄ１の画面で、第２文字記入体ｎにタッチした指を斜め左上に移動させる操作が行われると、調整処理部２３６は、第２文字記入体ｎを中央方向に移動する（Ｄ２参照）。
【００７０】
図７ＡのＥ１、Ｅ２は、印刷時には、第２文字記入体ｎを所定位置まで移動させて、マージンを確保する処理を説明する画面である。印刷時に印刷余白部分と第２文字記入体ｎの端部とのマージンが少ないと、第２文字記入体ｎの端部が印刷枠内に収まらず、第２文字記入体の記載内容がすべて印刷できているのかが判然としない場合があるからである。調整処理部２３６は、レイアウトデータ２４４に基づき、第２文字記入体ｎを画面中央寄りの所定位置まで移動させて、印刷時のマージンを十分に確保する。
【００７１】
図７ＡのＦは、第２文字記入体ｎの文字ｎ１の拡大処理を説明する画面である。調整処理部２３６は、例えば文字ｎ１に対してピンチ操作がされると、文字ｎ１の拡大処理を行う。調整処理部２３６は、第２文字記入体ｎから一旦文字ｎ１を抽出して、文字ｎ１を拡大して、第２文字記入体ｎに再度合成する。
【００７２】
図７ＢのＧ１、Ｇ２は、第１文字記入体ｍと第２文字記入体ｎの切換えを説明する画面である。これまでは、画面内に第２文字記入体ｎが存在する場合には、第１文字記入体ｍを表示しないと説明した。しかし、第１文字記入体ｍを表示させたい場合もあるはずなので、操作指示に応じて、第１文字記入体ｍと第２文字記入体ｎを切換えるようにした例である、Ｇ１は、第２文字記入体ｎが存在する場合で、この場合には、第１文字記入体ｍは画面左下にアイコンｍａとして表示される。Ｇ１で、アイコンｍａがクリックされると、調整処理部２３６は、第２文字記入体ｎに重畳して第１文字記入体ｍを表示させる。そして、調整処理部２３６は、代わって画面左下に第２文字記入体ｎのアイコンｎａを表示する。なお、調整処理部２３６は、第１文字記入体ｍと第２文字記入体ｎを同時に表示してもよい。
【００７３】
ステップＳ１７０に進む。端末制御部２１０は、操作者によりカメラ制御操作がされたかを判断する（ステップＳ１７０）。端末制御部２１０は、カメラ制御操作がされたと判断すると（ステップＳ１７０のＹＥＳ）。操作結果をカメラ装置１００に送信する（ステップＳ１７２）。端末制御部２１０は、カメラ制御操作がされていないと判断すると（ステップＳ１７０のＮＯ）、ステップＳ１７４に進む。
【００７４】
端末制御部２１０は、撮影操作がされたかを判断する（ステップＳ１７４）。端末制御部２１０は、撮影操作がされたと判断すると（ステップＳ１７４のＹＥＳ）、撮影信号をカメラ装置１００に送信する（ステップＳ１７６）。
【００７５】
端末制御部２１０は、カメラ装置１００で取得された画像データを受信し（ステップＳ１７８）、画像データをファイル化して端末記憶部２４０に撮影データ２４２として記録する。工事撮影制御部２３０は、第１文字記入体ｍが合成された画像あるいは第２文字記入体ｎが含まれる画像を、撮影データ２４２として記録する。また、工事撮影制御部２３０は、第２文字記入体ｎが含まれる画像を撮影データ２４２として記録する場合には、第１文字記入体ｍの画像あるいはデータ（第１の情報ｍ１）を、撮影データ２４２に付帯して記録してもよい。その後、端末制御部２１０は、ステップＳ１００に戻る。
【００７６】
端末制御部２１０は、撮影操作がされていないと判断すると（ステップＳ１７４のＮＯ）、ステップＳ１００に戻る。なお、端末制御部２１０は、工事写真モードが設定されていないと判断すると（ステップＳ１５０のＮＯ）、ステップＳ１７０に進む。
【００７７】
ステップＳ１０２に戻る。端末制御部２１０は、カメラモードが選択されていないと判断すると（ステップＳ１０２のＮＯ）、工事写真撮影の前後処理を行う（ステップＳ１０４）。
【００７８】
図６は、工事写真撮影の前後処理の手順を説明するためのサブルーチンである。図６のサブルーチンは、主に工事撮影制御部２３０により実行される。表示部２１６には、メニュー画面として、工事撮影前に行われる撮影準備モードと、工事撮影後に行われるドキュメント作成モードが表示されるとする。
【００７９】
工事撮影制御部２３０は、撮影準備モードが選択されたかを判断する（ステップＳ２００）。工事撮影制御部２３０は、撮影準備モードが選択されたと判断すると（ステップＳ２００のＹＥＳ）、撮影準備モードを実行する（ステップＳ２０２）。
【００８０】
工事撮影制御部２３０は、サーバ３００にアクセスして、サーバ３００の設計図データ２４６ａから、今回の工事に必要な設計図データを取得する（ステップＳ２０４）。工事撮影制御部２３０は、取得した設計図データを工事設計画像データ２４６として端末記憶部２４０に記録する。工事撮影制御部２３０は、工事設計画像データ２４６に基づき、撮影計画を作成する（ステップＳ２０６）。
【００８１】
工事撮影制御部２３０は、サーバ３００にアクセスして、第１文字記入体画像データ２４８ａから、今回の工事に必要な第1文字記入体画像データを取得する（ステップＳ２０８）。工事撮影制御部２３０は、取得した第1文字記入体画像データ（第１文字記入体画像データ２４８）を端末記憶部２４０に記録する。
【００８２】
ステップＳ２００に戻る。工事撮影制御部２３０は、撮影準備モードが選択されていないと判断すると（ステップＳ２００のＮＯ）、ドキュメント作成モードを実行する（ステップＳ２２０）。ドキュメントとは、図３で説明したような工事ドキュメントで、第１文字記入体ｍや第２文字記入体ｎが含まれる工事写真が所定の文章に添付されたものである。
【００８３】
ドキュメント作成者は、ドキュメント作成フォーマットに従って、内容を入力する。工事撮影制御部２３０は、撮影データ２４２を読出し（ステップＳ２２２）、ドキュメントの対応する頁に添付して、ドキュメントを作成する（ステップＳ２２４）。工事撮影制御部２３０は、作成したドキュメントをサーバ３００に送信する（ステップＳ２２６）。
【００８４】
工事撮影制御部２３０は、ステップＳ２０８又はステップＳ２２６の後、終了指示があったかを判断し（ステップＳ２３０）、終了指示があったと判断すると（ステップＳ２３０のＹＥＳ）、本サブルーチンを終了して、ステップＳ１００に戻る。工事撮影制御部２３０は、終了指示がないと判断すると（ステップＳ２３０のＮＯ）、ステップＳ２００に戻る。
【００８５】
<第２実施形態>
第１実施形態で説明した第１の情報ｍ１による画像は、予め記憶されたデータに基づく画像であるので、バーチャルな情報と言える。対して第２の情報ｎ１による画像は、手書き等で実際に記載されたデータに基づく画像であるので、リアルな情報と言える。バーチャルな情報とリアルな情報を使い分けることは、第１実施形態の工事写真の分野以外でも、有用であることを、第２実施形態で説明する。
【００８６】
第２実施形態は、聞きづらい音声に代わって、予め登録されたガイド音声に置き換えて記録する音声置換え処理についてである。図８は、第２実施形態にかかる端末装置６２０を含む音声記録システム６００の構成図である。
【００８７】
音声記録システム６００は、レコーダ６１０、端末装置６２０、ネットワーク６３０及びサーバ６４０を有する。レコーダ６１０は、マイクロフォンを内蔵し、マイクロフォンで検知した音声を音声データに変換して、端末装置６２０に送信する。
【００８８】
端末装置６２０は、音声データに種々の処理を行い、音声データを内部のメモリに記録する。端末装置２００は、ＰＣ装置、モバイルＰＣ（Personal computer）、タブレットあるいはスマートフォン等々である。端末装置６２０は、音声データをテキストデータに変換し、音声付きドキュメントを作成する機能も備える。さらに、端末装置６２０は、音声ファイルあるいは音声付きドキュメントを、ネットワーク６３０を介してサーバ６４０に送信する。
【００８９】
また、端末装置６２０は、レコーダ６１０で取得された音声が聞きづらい場合には、その聞きづらい音声の部分だけを予め登録した音声に置き換える置換え機能を備える。具体的には、端末装置６２０は、聞きづらい音声に対応するガイド音声を、何種類か予めメモリに登録しておく。そして、端末装置６２０は、録音中に聞きづらい音声が検出された場合には、その聞きづらい音声に対応するガイド音声を候補の中から探し、探したガイド音声を聞きづらい音声に代えて、記録する。サーバ６４０は、音声ファイルあるいはテキスト化された音声ファイルを保管する。
【００９０】
図９は、音声付きドキュメントの例である。図９の音声付きドキュメントは、患者のカルテの例である。名前・性別・年齢・所見の欄に、それぞれ患者のデータが記載される。端末装置６２０は、医師が順番に読上げる「名前  ××  ○○」、「性別  男」、「年齢  △△才」、「所見  abcdefghijk・・・」の音声データをテキスト化して、図９のような音声付きドキュメントを作成する。
【００９１】
音声は文字入力とは異なり、個人差が大きく、話者によって不明瞭となる場合も少なくなく、テキスト化する場合に大きな問題となる。そこで、端末装置６２０は、名前・性別・年齢・所見のようなデフォルトの項目を、前述したガイド音声として予め登録しておく。
【００９２】
図１０は、不明瞭な音声をガイド音声に置き換えた例を音声カーブで説明する図である。ここでは、「名前  ××  ○○」が読み上げられた例とする。Ｒ１で、「名前」の部分（Ｒａ）は音量が小さく不明瞭である。「××  ○○」の部分（Ｒｂ）は音量が大きく明瞭である。そこで、「名前」の部分（Ｒａ）だけ、音量の大きなガイド音声（Ｒｃ）に置き換えたのが、Ｒ２である。名前・性別・年齢・所見のようなデフォルトの項目であれば、順番に読上げられるので、端末装置６２０は、ガイド音声を容易に検出することができる。
【００９３】
図１１Ａ及び図１１Ｂは、音声置換え処理の手順を説明するためのフローチャートである。端末装置６２０の制御部（不図示）により実行される。端末装置６２０は、メニュー画面に選択可能なモードを表示する（ステップＳ３００）。端末装置６２０は、操作者によりレコーダ機能が選択されたかを判断する（ステップＳ３０２）。
【００９４】
端末装置６２０は、レコーダ機能が選択されたと判断すると（ステップＳ３０２のＹＥＳ）、録音モードが設定されたかを判断する（ステップＳ３０４）。
【００９５】
端末装置６２０は、録音モードが設定されていないと判断すると（ステップＳ３０４のＮＯ）、再生・通信モードが設定されたかを判断する（ステップＳ３２０）。端末装置６２０は、再生・通信モードが設定されていないと判断すると（ステップＳ３２０のＮＯ）、ステップＳ３０２に戻る。
【００９６】
端末装置６２０は、再生・通信モードが設定されたと判断すると（ステップＳ３２０のＹＥＳ）、記録された音声のファイル名を一覧表示する（ステップＳ３２２）。端末装置６２０は、一覧表示でファイル名が選択されたかを判断する（ステップＳ３２４）。端末装置６２０は、ファイル名が選択されていないと判断すると（ステップＳ３２４のＮＯ）、ステップＳ３３２に進む。
【００９７】
端末装置６２０は、ファイル名が選択されたと判断すると（ステップＳ３２４のＹＥＳ）、再生モードであるかを判断する（ステップＳ３２６）。端末装置６２０は、再生モードであると判断すると（ステップＳ３２６のＹＥＳ）、選択された音声を再生する（ステップＳ３２８）。端末装置６２０は、再生モードでないと判断すると（ステップＳ３２６のＮＯ）、通信モードであるので、指定された機器に選択された音声を送信する（ステップＳ３３０）。
【００９８】
端末装置６２０は、ファイル名が選択されていないと判断する場合や（ステップＳ３２４のＮＯ）、ステップＳ３２８又はステップＳ３３０の後は、再生・通信モードが終了されたかを判断する（ステップＳ３３２）。端末装置６２０は、終了されたと判断すると（ステップＳ３３２のＹＥＳ）、ステップＳ３０２に戻る。端末装置６２０は、再生・通信モードが終了されていないと判断すると（ステップＳ３３２のＮＯ）、ステップＳ３２４に戻る。
【００９９】
端末装置６２０は、録音モードが設定されたと判断すると（ステップＳ３０４のＹＥＳ）、必要に応じてさらに詳細なモード（以下のドキュメント作成モード）や表示条件等を設定する（ステップＳ３０６）。
【０１００】
端末装置６２０は、録音操作がされたかを判断する（ステップＳ３０８）。端末装置６２０は、録音操作がされていないと判断すると（ステップＳ３０８のＮＯ）、ステップＳ３０２に戻る。端末装置６２０は、録音操作がされたと判断すると（ステップＳ３０８のＹＥＳ）、録音を開始する（ステップＳ３４０）。
【０１０１】
端末装置６２０は、ドキュメント作成モードが設定されているかを判断する（ステップＳ３４２）。ドキュメント作成モードとは、図８及び図９で説明した音声付ドキュメントを作成するモードである。
【０１０２】
端末装置６２０は、ドキュメント作成モードが設定されていると判断すると（ステップＳ３４２のＹＥＳ）、入力された音声が候補となる音声ガイドが有る音声であるかを判断する（ステップＳ３６０）。候補となる音声ガイドとは、図９の例では、「名前」「性別」「年齢」「所見」の４つである。端末装置６２０は、入力された音声が候補となる音声ガイドが有る音声ではないと判断すると（ステップＳ３６０のＮＯ）、ステップＳ３７０に進む。
【０１０３】
端末装置６２０は、候補となる音声ガイドが有る音声であると判断すると（ステップＳ３６０のＹＥＳ）、入力された音声が聞き取り困難と予想されるかを判断する（ステップＳ３６２）。端末装置６２０は、例えば、入力された音声が所定以下のレベルであった場合には、聞き取り困難と予想する。端末装置６２０は、聞き取り困難と予想されないと判断すると（ステップＳ３６２のＮＯ）、ステップＳ３７０に進む。
【０１０４】
端末装置６２０は、聞き取り困難と予想されると判断すると（ステップＳ３６２のＹＥＳ）、候補となる音声ガイドの中から、対応する音声ガイドを検索し、検索した音声ガイドで補助する（ステップＳ３６４）。
【０１０５】
端末装置６２０は、音声がテキスト化可能であるかを判断する（ステップＳ３６６）。端末装置６２０は、音声がテキスト化可能ではないと判断すると（ステップＳ３６６のＮＯ）、ステップＳ３７０に進む。端末装置６２０は、音声がテキスト化可能であると判断すると（ステップＳ３６６のＹＥＳ）、テキスト化し（ステップＳ３６８）、ステップＳ３７０に進む。
【０１０６】
端末装置６２０は、記録の終了操作がされたかを判断し（ステップＳ３７０）、終了操作がされていないと判断すると（ステップＳ３７０のＮＯ）、ステップＳ３４０に戻る。
【０１０７】
端末装置６２０は、終了操作がされたと判断すると（ステップＳ３７０のＹＥＳ）、音声データをファイル化する（ステップＳ３７２）。また、端末装置６２０は、テキストが有るかを判断する（ステップＳ３７４）。端末装置６２０は、テキストが有ると判断すると（ステップＳ３７４のＹＥＳ）、ファイル化し（ステップＳ３７６）、ステップＳ３０２に戻る。端末装置６２０は、テキストがないと判断すると（ステップＳ３７４のＮＯ）、ステップＳ３０２に戻る。また、端末装置６２０は、ドキュメント作成モードが設定されていないと判断すると（ステップＳ３４２のＮＯ）、ステップＳ３７０に進み、通常の音声記録を実行する。
【０１０８】
端末装置６２０は、レコーダ機能が選択されていないと判断すると（ステップＳ３０２のＮＯ）、ドキュメント作成モードであるかを判断する（ステップＳ３１０）。端末装置６２０は、ドキュメント作成モードではないと判断すると（ステップＳ３１０のＮＯ）、フォーマット取得等その他のモードを実行し（ステップＳ３１８）、ステップＳ３００に戻る。
【０１０９】
端末装置６２０は、ドキュメント作成モードであると判断すると（ステップＳ３１０のＹＥＳ）、指示に応じて音声ファイルを選択し（ステップＳ３１２）、ドキュメントを作成し（ステップＳ３１４）、サーバに送信する（ステップＳ３１６）。
【０１１０】
<効果>  
・第１実施形態によれば、第２文字記入体ｎが画面に存在する場合には第２文字記入体ｎを優先し、第２文字記入体ｎが画面に存在しない場合には第１文字記入体ｍが合成された撮影データが記録される。これにより、撮影物（工事対象）の情報を適切に工事画面に添付することができる。
・また、第１実施形態によれば、工事写真に付帯される画像情報として、設計上のデータと手書きの特記事項の情報を選択することができる。
【０１１１】
<変形例>
・第１実施形態において、工事撮影制御部２３０、第１文字記入体画像合成部２３２、第２文字記入体判定部２３４及び調整処理部２３６を、端末装置２００に搭載される説明したが、一部あるいは全部をカメラ装置１００に搭載するようにしてもよい。
・第１実施形態において、第２の情報は文字記入体に記載された手書き情報と説明したが、手書きでなくてもよく、印刷された情報でもよい。また、保線工事では、レールや枕木に工事内容が直接書かれる場合も多いので、第２の情報は、小黒板等の文字記入体に記載された情報ばかりでなく、レールや枕木に直接書かれた情報でもよい。
【０１１２】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【０１１３】
１      撮像システム
１００    カメラ装置
１１０      カメラ制御部
１１２      記憶部
１２０      レンズ部
１３０      撮像部
１４４、２２０  Ｄ通信部
２００    端末装置
２１０      端末制御部
２１２      位置／時計情報部
２１４      計測部
２１６      表示部
２１８      操作部
２２２      通信部
２３０    工事撮影制御部
２３２      第１文字記入体画像合成部
２３４      第２文字記入体判定部
２３６      調整処理部
２４０      端末記憶部
２５０      ファイル作成部
３００、３００ａ、６４０  サーバ
４００、６３０    ネットワーク
５００    ＰＣ装置
６００  音声記録システム
６１０    レコーダ
６２０    端末装置
【図１】
2017158145.tif 000003
【図２Ａ】
2017158145.tif 000004
【図２Ｂ】
2017158145.tif 000005
【図３】
2017158145.tif 000006
【図４】
2017158145.tif 000007
【図５Ａ】
2017158145.tif 000008
【図５Ｂ】
2017158145.tif 000009
【図６】
2017158145.tif 000010
【図７Ａ】
2017158145.tif 000011
【図７Ｂ】
2017158145.tif 000012
【図８】
2017158145.tif 000013
【図９】
2017158145.tif 000014
【図１０】
2017158145.tif 000015
【図１１Ａ】
2017158145.tif 000016
【図１１Ｂ】
2017158145.tif 000017